(57)【要約】【課題】通気に必要な通気用面積を大きくすることができない構造であり、冷却性能の向上を図ることができないという課題がある。【解決手段】絶縁フレーム２０の基板２０ａ上端で側板２０ｂ間に跨設され、中央部２１ａに上部側端子導体２２の一端部２２ａが取り付けられる第１上部側絶縁梁体２１と、絶縁フレーム２０の側板２０ｂ上端でかつＵ字状開口端で側板２０ｂ間に跨設され、中央部２３ａに上部側端子導体２２の一端部２２ａから伸張する上部側端子導体２２の中間部２２ｂが取り付けられる第２上部側絶縁梁体２３を設けたものである。【選択図】図１
2010277849.tif 000002
【特許請求の範囲】
【請求項１】
基板と前記基板と直交する方向に相対して配置される一対の側板とにより水平方向断面が略Ｕ字状に構成され、垂直方向上端に開口を有する絶縁フレームと、前記絶縁フレーム内に配置される真空バルブと、前記真空バルブの上端部および下端部に接続され外部に導出される上部側端子導体および下部側端子導体とを備えた遮断器において、前記絶縁フレームの基板上端で前記側板間に跨設され、中央部に前記上部側端子導体の一端部が取り付けられる第１上部側絶縁梁体と、前記絶縁フレームの側板上端でかつ前記Ｕ字状開口端で前記側板間に跨設され、中央部に前記上部側端子導体の一端部から伸張する前記上部側端子導体の中間部が取り付けられる第２上部側絶縁梁体とを備えたことを特徴とする遮断器。
【請求項２】
前記第１上部側絶縁梁体および前記第２上部側絶縁梁体の中央部は、両端部より上方に突出した構成としたことを特徴とする請求項１に記載の遮断器。
【請求項３】
前記第１上部側絶縁梁体および前記第２上部側絶縁梁体の中央部は、溝状部で構成したことを特徴とする請求項１に記載の遮断器。
【請求項４】
前記第１上部側絶縁梁体および前記第２上部側絶縁梁体の両端部は、傾斜面が形成されたことを特徴とする請求項１ないし３のいずれか１項に記載の遮断器。
【請求項５】
前記第１上部側絶縁梁体および前記第２上部側絶縁梁体は前記絶縁フレームと一体に構成されることを特徴とする請求項１ないし４のいずれか１項に記載の遮断器。
【請求項６】
前記第２上部側絶縁梁体の下方側に前記Ｕ字状開口端で前記側板間に跨設され、前記下部側端子導体の導出部を取り付ける下部側絶縁梁体を設けたことを特徴とする請求項１ないし５のいずれか１項に記載の遮断器。
【発明の詳細な説明】
【技術分野】
【０００１】
この発明は、例えば電力用の送配電設備あるいは受電設備に用いられる遮断器に関し、特に遮断器の絶縁フレームの構造に関するものである。
【背景技術】
【０００２】
従来の遮断器としては、図１７〜図１９に示すものがある。図１７は遮断器の要部断面側面図、図１８は図１７をＡ−Ａ方向に見た図、図１９は図１７の平面図である。これら各図において、１は真空バルブ、２は水平方向断面が各相略Ｕ字状に構成された絶縁フレームであり、基板２ａ、側板２ｂからなる。２ｃは絶縁フレーム２の上端、２ｄは側板２ｂの水平方向の開口端、２ｅは絶縁フレーム２の上端２ｃより下方側で基板２ａに設けられた貫通穴、２ｆは絶縁フレーム２の下部側で基板２ａに設けられた貫通穴である。３は真空バルブ１の固定側端部に設けられ軸方向端部に接触面を有する固定電極板、４は可動電極棒、５は可動電極棒４を両側から挟み込んで装着された可動側端子金具、６は一方側が可動側端子金具５に接続された可撓性導体、７は可動電極棒４に連結された絶縁ロッドである。
【０００３】
８は上面が絶縁フレーム２の上端２ｃより下方側でかつ貫通穴２ｅの下端と同一水平位置となるよう絶縁フレーム２の側板２ｂ間に設けられた導体取付部、９は上面が導体取付部８の上面と同一水平位置となるよう絶縁フレーム２の基板２ａと側板２ｂのコーナー部にそれぞれ設けられた導体取付部、１０は下面が絶縁フレーム２の貫通穴２ｆの上端と同一水平位置となるよう絶縁フレーム２の基板２ａに設けられた導体取付部である。１１は絶縁フレーム２の基板２ａに形成された貫通穴２ｅ部に設けられた絶縁材からなる上側導体挿通筒体、１２は絶縁フレーム２の基板２ａに形成された貫通穴２ｆ部に設けられた絶縁材からなる下側導体挿通筒体である。
【０００４】
１３は絶縁フレーム２の基板２ａの貫通穴２ｆと下側導体挿通筒体１２内を挿通する下部側端子導体であり、可撓性導体６と接続される接続部１３ａと図示しない下部側主回路ジャンクションが接続される導出部１３ｂとから構成され、下部側端子導体１３の接続部１３ａと可撓性導体６の他方側とはボルト１４、ナット１５により導体取付部１０に強固に取り付けられることにより接続される。
【０００５】
１６は絶縁フレーム２の基板２ａの貫通穴２ｅと上側導体挿通筒体１１内を挿通する固定側の上部側端子導体であり、一方側が導体取付部８に、他方側が導体取付部９間にまたがった平面状部１６ａと、絶縁フレ−ム２から外部へ導出され図示しない上部側主回路ジャンクションが接続される略円柱状の導出部１６ｂと、略平面状部１６ａの上面に略平面状部１６ａを含んだ断面が略Ｔ形でかつ上部側端子導体１６の軸方向に延在する補強部１６ｃとから構成され、この例では平面状部１６ａと導出部１６ｂと補強部１６ｃとが鋳造にて一体に製作されている。なお、平面状部１６ａの絶縁フレーム２の基板２ａ側は側板２ｂ側に伸張する伸張部１６ａ１がそれぞれ形成されている。
【０００６】
上部側端子導体１６の平面状部１６ａは、一方側が絶縁フレーム２の側板２ｂ間に設けられた導体取付部８および他方側が絶縁フレーム２の基板２ａと側板２ｂのコーナー部にそれぞれ設けられた導体取付部９に載置され、導体取付部８および導体取付部９の下方からボルト１７およびボルト１８を挿通して平面状部１６ａに螺着することにより、上部側端子導体１６の平面状部１６ａが導体取付部８および導体取付部９に強固に取り付けられている。また、上部側端子導体１６の平面状部１６ａの下面は、真空バルブ１の保持面１６ｄとして、真空バルブ１の固定電極板３の上端面と当接して、両者間をボルト１９にて強固に固定している。
【０００７】
このように構成された従来の遮断器においては、上部側端子導体１６が絶縁フレーム２の上端２ｃより下方側に設けられた導体取付部８、導体取付部９に取り付けられ、しかも導体取付部８が絶縁フレーム２の水平方向の開口端２ｄより基板２ａ側の中心部側に設けられており、また、上部側端子導体１６が平面状部１６ａで構成されている。真空バルブ１を上部側端子導体１６の平面状部１６ａの下面側に取り付けたとき、真空バルブ１と絶縁フレーム２の側板２ｂ、導体取付部８および導体取付部９との間に形成される隙間が小さいものとなっている。遮断器内の自然対流により、上記隙間の下方向から上方向への通気が行われ、上部側端子導体１６が冷却されるようになっている。
【先行技術文献】
【特許文献】
【０００８】
【特許文献１】特開平１１−４００１９号公報
【発明の概要】
【発明が解決しようとする課題】
【０００９】
上述した従来の遮断器においては、上部側端子導体１６が絶縁フレーム２の上端２ｃより下方側に設けられた導体取付部８、導体取付部９に取り付けられ、しかも導体取付部８が絶縁フレーム２の水平方向の開口端２ｄより基板２ａ側の中心部側に設けられており、また、上部側端子導体１６が平面状部１６ａで構成されているため、真空バルブ１を上部側端子導体１６の平面状部１６ａの下面側に取り付けたとき、真空バルブ１と絶縁フレーム２の側板２ｂ、導体取付部８および導体取付部９との間に形成される隙間が小さく、自然対流による上記隙間の下方向から上方向への通気に必要な通気用面積を大きくすることができなかった。特に絶縁フレーム２の基板２ａ側は上部側端子導体１６の平面状部１６ａが側板２ｂ側に突出した突出部１６ａ１があるため、殆んど通気されない状態となっている。その結果として、上部側端子導体１６の冷却特性は低下することは勿論のこと、遮断器全体としての冷却性能も低下し、その結果、遮断器を規格で定められた所定の温度上昇値以下にするためには通電電流値を減らさざるを得ず、遮断器の通電性能が低下するという問題がある。
【００１０】
また、従来の遮断器においては、上部側端子導体１６および下部側端子導体１３を絶縁フレーム２の基板２ａから外部に導出するようにしているので、絶縁フレーム２の基板２ａに貫通穴２ｅおよび貫通穴２ｆを形成する必要があるとともに、その貫通穴２ｅ部および貫通穴２ｆ部に絶縁材からなる上側導体挿通筒体１１および下側導体挿通筒体１２を設ける必要があり、これら上側導体挿通筒体１１および下側導体挿通筒体１２、導体取付部８、導体取付部９、導体取付部１０を含めた絶縁フレーム２全体が複雑な構成となるという課題がある。
【００１１】
この発明は上記のような課題を解決するためになされたものであり、簡単な構成で冷却性能を向上することができる遮断器を提供することを目的とする。
【課題を解決するための手段】
【００１２】
この発明に係わる遮断器は、基板と前記基板と直交する方向に相対して配置される一対の側板とにより水平方向断面が略Ｕ字状に構成され、垂直方向上端に開口を有する絶縁フレームと、前記絶縁フレーム内に配置される真空バルブと、前記真空バルブの上端部および下端部に接続され外部に導出される上部側端子導体および下部側端子導体とを備えた遮断器において、前記絶縁フレームの基板上端で前記側板間に跨設され、中央部に前記上部側端子導体の一端部が取り付けられる第１上部側絶縁梁体と、前記絶縁フレームの側板上端でかつ前記Ｕ字状開口端で前記側板間に跨設され、中央部に前記上部側端子導体の一端部から伸張する前記上部側端子導体の中間部が取り付けられる第２上部側絶縁梁体とを備えたものである。
【発明の効果】
【００１３】
この発明に係わる遮断器は、絶縁フレームの基板上端で側板間に跨設され、中央部に上部側端子導体の一端部が取り付けられる第１上部側絶縁梁体と、絶縁フレームの側板上端でかつＵ字状開口端で側板間に跨設され、中央部に上部側端子導体の一端部から伸張する上部側端子導体の中間部が取り付けられる第２上部側絶縁梁体とを設けた構成としたことにより、通気性が向上し冷却性能を著しく向上させることができる遮断器を得ることができる。また、構造の簡単な絶縁フレームを得ることができる。
【図面の簡単な説明】
【００１４】
【図１】この発明の実施の形態１に係わる遮断器における絶縁フレーム構造体を示す斜視図である。
【図２】この発明の実施の形態１に係わる遮断器における絶縁フレーム構造体を示す正面図である。
【図３】この発明の実施の形態１に係わる遮断器における絶縁フレーム構造体を示す平面図である。
【図４】この発明の実施の形態１に係わる遮断器における絶縁フレーム構造体を示す側面図である。
【００１５】
【図５】この発明の実施の形態２に係わる遮断器における絶縁フレーム構造体を示す平面図である。
【図６】この発明の実施の形態３に係わる遮断器における絶縁フレーム構造体を示す斜視図である。
【図７】この発明の実施の形態３に係わる遮断器における絶縁フレーム構造体を示す正面図である。
【図８】この発明の実施の形態４に係わる遮断器における絶縁フレーム構造体を示す斜視図である。
【図９】この発明の実施の形態４に係わる遮断器における絶縁フレーム構造体を示す正面図である。
【図１０】この発明の実施の形態５に係わる遮断器における絶縁フレーム構造体を示す斜視図である。
【００１６】
【図１１】この発明の実施の形態６に係わる遮断器における絶縁フレーム構造体を示す斜視図である。
【図１２】この発明の実施の形態６に係わる遮断器における絶縁フレーム構造体を示す平面図である。
【図１３】この発明の実施の形態７に係わる遮断器における絶縁フレーム構造体を示す平面図である。
【図１４】この発明の実施の形態８に係わる遮断器における絶縁フレーム構造体を示す斜視図である。
【００１７】
【図１５】この発明の実施の形態９に係わる遮断器における絶縁フレーム構造体を示す斜視図である。
【図１６】この発明の実施の形態１０に係わる遮断器における絶縁フレーム構造体を示す斜視図である。
【００１８】
【図１７】従来の遮断器を示す要部断面側面図である。
【図１８】従来の遮断器を示す図１７における矢視Ａ−Ａ方向に見た図である。
【図１９】従来の遮断器を示す平面図である。
【発明を実施するための形態】
【００１９】
実施の形態１.
以下、この発明の実施の形態１を図１ないし図４に基づいて説明する。図１はこの発明の実施の形態１に係わる遮断器における絶縁フレーム構造体を示す斜視図である。図２はこの発明の実施の形態１に係わる遮断器における絶縁フレーム構造体を示す正面図である。図３はこの発明の実施の形態１に係わる遮断器における絶縁フレーム構造体を示す平面図である。図４はこの発明の実施の形態１に係わる遮断器における絶縁フレーム構造体を示す側面図である。
【００２０】
これら各図において、２０は絶縁フレームであり、図は一例として三相一体型の場合を示している。各相は、基板２０ａとその基板２０ａと直交する方向に相対して配置される一対の側板２０ｂとにより水平方向断面が略Ｕ字状に構成され、垂直方向上端に開口を有する絶縁フレーム２０となっている。２１は絶縁フレーム２０の基板２０ａ上端で側板２０ｂ間に跨設され、中央部２１ａに例えば板状の上部側端子導体２２の一端部２２ａが取り付けられる第１上部側絶縁梁体である。第１上部側絶縁梁体２１は、図は一例として中央部２１ａが両端部２１ｂより上方に突出した構成とするとともに、両端部２１ｂが傾斜状に配置されている。すなわち、両端部２１ｂは中央部２１ａから絶縁フレーム２０の側板２０ｂ側へ下がっていく傾斜面となっている。
【００２１】
２３は絶縁フレーム２０の側板２０ｂ上端でかつＵ字状開口端で側板２０ｂ間に跨設され、中央部２３ａに上部側端子導体２２の一端部２２ａから伸張する上部側端子導体２２の中間部２２ｂが取り付けられる第２上部側絶縁梁体である。第２上部側絶縁梁体２３は、図は一例として中央部２３ａが両端部２３ｂより上方に突出した構成とするとともに、両端部２３ｂが傾斜状に配置されている。すなわち、両端部２３ｂは中央部２３ａから絶縁フレーム２０の側板２０ｂ側へ下がっていく傾斜面となっている。
【００２２】
２４は第２上部側絶縁梁体２３の下方側にＵ字状開口端で側板２０ｂ間に跨設され、下部側端子導体（図示しない）の導出部を取り付ける下部側絶縁梁体である。２５は絶縁フレーム２０の各相間における側板２０ｂの上端部を上方向に伸張させた仕切板である。なお、上部側端子導体２２の中間部２２ｂから伸張する他端部２２ｃには図示しない上部側主回路ジャンクションが接続される。また、下部側絶縁梁体２４に取り付けられる下部側端子導体（図示しない）の導出部には図示しない下部側主回路ジャンクションが接続される。
【００２３】
次に動作について説明する。上述した実施の形態１による遮断器においては、第１上部側絶縁梁体２１が絶縁フレーム２０の基板２０ａ上端で側板２０ｂ間に跨設され、第２上部側絶縁梁体２３が絶縁フレーム２０の側板２０ｂ上端でかつＵ字状開口端で側板２０ｂ間に跨設されている。このように、第１上部側絶縁梁体２１および第２上部側絶縁梁体２３を絶縁フレーム２０の上端でかつ基板２０ａ側およびＵ字状開口端側に配置した構成とするとともに、第１上部側絶縁梁体２１および第２上部側絶縁梁体２３の中央部２１ａおよび２３ａ上に跨って板状の簡単な構造の上部側端子導体２２を図示しないボルトなどの締結体により取り付けることにより、絶縁フレーム２０の上端部の通気用面積を上述した従来の遮断器より著しく増大することができるとともに、上部側端子導体２２は板状の簡単な構造であり、上述した従来の遮断器における上部側端子導体１６の平面状部１６ａの突出部１６ａ１のような通気を阻害する部材はないので通気特性が著しく向上する。
【００２４】
また、上部側端子導体２２は絶縁フレーム２０の上端より上方に位置することになり、通気特性が著しく向上し、上述した従来の遮断器のように、絶縁フレーム２の上端より下方に配置され、かつ絶縁フレーム２の基板２ａおよび側板２ｂで囲まれていたものと比べて冷却性能が著しく向上する。
【００２５】
また、第１上部側絶縁梁体２１および第２上部側絶縁梁体２３の中央部２１ａおよび２３ａが両端部２１ｂおよび２３ｂより上方に突出した構成とすることにより、第１上部側絶縁梁体２１および第２上部側絶縁梁体２３の中央部２１ａおよび２３ａに取り付けられる上部側端子導体２２もさらに上方に位置することになり、通気用面積をさらに増大することができるとともに通気特性も向上し、上部側端子導体２２および遮断器全体としての冷却性能をより一層向上させることができる。
【００２６】
また、第１上部側絶縁梁体２１および第２上部側絶縁梁体２３の両端部２３ｂが中央部２１ａおよび２３ａから絶縁フレーム２０の側板２０ｂ側へ下がっていく傾斜面としたことにより、遮断器を設置した設備の結露による水滴が第１上部側絶縁梁体２１および第２上部側絶縁梁体２３上に落ちてきた場合において、第１上部側絶縁梁体２１および第２上部側絶縁梁体２３の両端部２１ｂおよび２３ｂの傾斜面を伝って流れ落ちて溜まることがないので、結露による絶縁性能の低下を招くことがない高信頼性の遮断器を得ることができる。
【００２７】
また、遮断器周囲の環境によっては塵埃が存在することがあるが、この場合においても、塵埃が第１上部側絶縁梁体２１および第２上部側絶縁梁体２３の両端部２１ｂおよび２３ｂの傾斜面には溜まり難くその傾斜面を伝って流れ落ちて溜まることがないので、塵埃による絶縁性能の低下を招くことがない高信頼性の遮断器を得ることができる。
【００２８】
ところで、上部側端子導体に流す定格電流に応じてその上部側端子導体の幅や厚みが変わってくるが、上述した従来の遮断器においては、複雑な構成の上部側端子導体１６となっているとともに絶縁フレーム２の基板２ａおよび側板２ｂで囲まれており、定格電流の容量に応じて上部側端子導体１６の幅や厚みを自由に変えることが極めて困難なものとなっている。しかし、この実施の形態１によれば、第１上部側絶縁梁体２１および第２上部側絶縁梁体２３の中央部２１ａおよび２３ａ上に上部側端子導体２２を取り付ける構成としたことにより、周囲に阻害される部材はなく、定格電流の容量に応じて、上部側端子導体２２の幅や厚みを自由に変えることができるという効果を奏する。
【００２９】
また、第２上部側絶縁梁体２３の下方側にＵ字状開口端で側板２３ｂ間に跨設され、図示しない下部側端子導体の導出部を取り付ける下部側絶縁梁体２４を設けた構成としているので、第２上部側絶縁梁体２３と合わせた相乗効果により、絶縁フレーム２０全体としての強度、剛性がより一層向上する。
【００３０】
また、絶縁フレーム２０の各相間の小型化を図るため、各相間の絶縁フレーム２０の側板２０ｂの上端を上方に伸張させた仕切板２５を設けて絶縁沿面距離を確保している。絶縁フレーム２０の各相間の絶縁沿面距離を十分に確保できる場合には仕切板２５の高さを低くしたり、あるいは仕切板２５そのものを設けないようにすることも可能である。
【００３１】
なお、絶縁フレーム２０、第１上部側絶縁梁体２１、第２上部側絶縁梁体２３、および下部側絶縁梁体２４は一体構造体として構成されている。
【００３２】
実施の形態２.
この発明の実施の形態２を図５に基づいて説明する。図５はこの発明の実施の形態２に係わる遮断器を示す平面図である。
【００３３】
この実施の形態２においては、絶縁フレーム２０の各相間に位置する側板２０ｂに互いに隣接する側の第２上部側絶縁梁体２３の端部２３ｂを第１上部側絶縁梁体２１側に凹ませたものである。第２上部側絶縁梁体２３の中央部２３ａ上には上部側端子導体２２の中間部２２ｂが取り付けられており、その中間部２２ｂから図示しない主回路ジャンクション側に伸張する他端側２２ｃが配置されている。しかし、この実施の形態２によれば、絶縁フレーム２０の各相間に位置する側板２０ｂに互いに隣接する側の第２上部側絶縁梁体２３の端部２３ｂを第１上部側絶縁梁体２１側に凹ませたことにより、絶縁沿面距離をさらに増大することができ、絶縁特性をさらに向上させることができる。また、絶縁沿面距離がさらに増大することに伴い絶縁フレーム２０の小型化、さらには遮断器の小型化をさらに可能とすることができる。
【００３４】
実施の形態３.
この発明の実施の形態３を図６および図７に基づいて説明する。図６はこの発明の実施の形態３に係わる遮断器における絶縁フレーム構造体を示す斜視図である。図７はこの発明の実施の形態３に係わる遮断器における絶縁フレーム構造体を示す正面図である。
【００３５】
これら各図において、２０は絶縁フレーム、２０ａは絶縁フレーム２０の基板、２０ｂ絶縁フレーム２０の側板、２２は上部側端子導体、２２ａは上部側端子導体２２の一端部、２２ｂ上部側端子導体２２の中間部、２２ｃ上部側端子導体２２の他端部、２４は下部側絶縁梁体、２５は仕切板である。
【００３６】
２６は絶縁フレーム２０の基板２０ａ上端で側板２０ｂ間に跨設され、中央部２６ａに例えば板状の上部側端子導体２２の一端部２２ａが取り付けられる第１上部側絶縁梁体であり、略台形状に構成されている。第１上部側絶縁梁体２６は、図は一例として中央部２１ａが両端部２６ｂより上方に突出した構成とするとともに、両端部２６ｂの上面が傾斜状に配置されている。すなわち、両端部２６ｂの上面は中央部２６ａから絶縁フレーム２０の側板２０ｂ側へ下がっていく傾斜面となっている。
【００３７】
２７は絶縁フレーム２０の側板２０ｂ上端でかつＵ字状開口端で側板２０ｂ間に跨設され、中央部２７ａに上部側端子導体２２の一端部２２ａから伸張する上部側端子導体２２の中間部２２ｂが取り付けられる第２上部側絶縁梁体であり、略台形状に構成されている。第２上部側絶縁梁体２７は、図は一例として中央部２７ａが両端部２７ｂより上方に突出した構成とするとともに、両端部２７ｂの上面が傾斜状に配置されている。すなわち、両端部２７ｂの上面は中央部２７ａから絶縁フレーム２０の側板２０ｂ側へ下がっていく傾斜面となっている。
【００３８】
このように、この実施の形態３においても、上述した実施の形態１と同様の効果を奏する。また、第１上部側絶縁梁体２６および第２上部側絶縁梁体２７を略台形状としたことにより、それら第１上部側絶縁梁体２６および第２上部側絶縁梁体２７の剛性が増大し、上述した実施の形態１より強度、剛性がより一層向上する遮断器を得ることができる。
【００３９】
実施の形態４.
この発明の実施の形態４を図８および図９に基づいて説明する。図８はこの発明の実施の形態４に係わる遮断器における絶縁フレーム構造体を示す斜視図である。図９はこの発明の実施の形態４に係わる遮断器における絶縁フレーム構造体を示す正面図である。
【００４０】
これら各図において、２０は絶縁フレーム、２０ａは絶縁フレーム２０の基板、２０ｂ絶縁フレーム２０の側板、２２は上部側端子導体、２２ａは上部側端子導体２２の一端部、２２ｂ上部側端子導体２２の中間部、２２ｃ上部側端子導体２２の他端部、２４は下部側絶縁梁体、２５は仕切板である。
【００４１】
２８は絶縁フレーム２０の基板２０ａ上端で側板２０ｂ間に跨設され、中央部２８ａに例えば板状の上部側端子導体２２の一端部２２ａが取り付けられる第１上部側絶縁梁体であり、段違い状に構成されている。第１上部側絶縁梁体２８は、図は一例として中央部２８ａが両端部２８ｂより上方に突出した段違いの階段状に構成されている。
【００４２】
２９は絶縁フレーム２０の側板２０ｂ上端でかつＵ字状開口端で側板２０ｂ間に跨設され、中央部２９ａに上部側端子導体２２の一端部２２ａから伸張する上部側端子導体２２の中間部２２ｂが取り付けられる第２上部側絶縁梁体であり、段違い状に構成されている。第２上部側絶縁梁体２９は、図は一例として中央部２９ａが両端部２９ｂより上方に突出した段違いの階段状に構成されている。
【００４３】
このように、この実施の形態４においても、上述した実施の形態１と同様の冷却性能の向上を図ることができる。また、上述した実施の形態３と同様に強度、剛性がより一層向上する遮断器を得ることができる。
【００４４】
実施の形態５.
この発明の実施の形態５を図１０に基づいて説明する。図１０はこの発明の実施の形態５に係わる遮断器における絶縁フレーム構造体を示す斜視図である。
【００４５】
図１０において、２０は絶縁フレーム、２０ａは絶縁フレーム２０の基板、２０ｂ絶縁フレーム２０の側板、２２は上部側端子導体、２２ａは上部側端子導体２２の一端部、２２ｂ上部側端子導体２２の中間部、２２ｃ上部側端子導体２２の他端部、２４は下部側絶縁梁体、２５は仕切板である。
【００４６】
３０は絶縁フレーム２０の基板２０ａ上端で側板２０ｂ間に跨設され、中央部３０ａに例えば板状の上部側端子導体２２の一端部２２ａが取り付けられる第１上部側絶縁梁体であり、段違い状に構成されている。第１上部側絶縁梁体３０は、図は一例として中央部３０ａが両端部３０ｂより上方に突出した段違い状に構成されているとともに、それら両端部３０ｂには傾斜面が形成されている。
【００４７】
３１は絶縁フレーム２０の側板２０ｂ上端でかつＵ字状開口端で側板２０ｂ間に跨設され、中央部３１ａに上部側端子導体２２の一端部２２ａから伸張する上部側端子導体２２の中間部２２ｂが取り付けられる第２上部側絶縁梁体であり、段違い状に構成されている。第２上部側絶縁梁体３１は、図は一例として中央部３１ａが両端部３１ｂより上方に突出した段違い状に構成されているとともに、それら両端部３１ｂには傾斜面が形成されている。
【００４８】
このように、この実施の形態５においても、上述した実施の形態４と同様の効果を奏する。また、この実施の形態５においては、第１上部側絶縁梁体３０および第２上部側絶縁梁体３１の両端部３０ｂおよび両端部３１ｂにそれぞれ傾斜面を形成しており、遮断器を設置した設備の結露による水滴が第１上部側絶縁梁体３０および第２上部側絶縁梁体３１上に落ちてきた場合において、第１上部側絶縁梁体３０および第２上部側絶縁梁体３１の両端部３０ｂおよび３１ｂの傾斜面を伝って流れ落ちて溜まることがないので、結露による絶縁性能の低下を招くことがない高信頼性の遮断器を得ることができる。
【００４９】
また、遮断器周囲の環境によっては塵埃が存在することがあるが、この場合においても、塵埃が第１上部側絶縁梁体３０および第２上部側絶縁梁体３１の両端部３０ｂおよび３１ｂの傾斜面には溜まり難くその傾斜面を伝って流れ落ちて溜まることがないので、塵埃による絶縁性能の低下を招くことがない高信頼性の遮断器を得ることができる。
【００５０】
実施の形態６.
この発明の実施の形態６を図１１および図１２に基づいて説明する。図１１はこの発明の実施の形態６に係わる遮断器における絶縁フレーム構造体を示す斜視図である。図１２はこの発明の実施の形態６に係わる遮断器における絶縁フレーム構造体を示す正面図である。
【００５１】
これら各図において、２０は絶縁フレーム、２０ａは絶縁フレーム２０の基板、２０ｂ絶縁フレーム２０の側板、２２は上部側端子導体、２２ａは上部側端子導体２２の一端部、２２ｂ上部側端子導体２２の中間部、２２ｃ上部側端子導体２２の他端部、２４は下部側絶縁梁体、２５は仕切板である。
【００５２】
３２は絶縁フレーム２０の基板２０ａ上端で側板２０ｂ間に跨設され、中央部３２ａに例えば板状の上部側端子導体２２の一端部２２ａが取り付けられる第１上部側絶縁梁体であり、両端部３２ｂと段違いのない平面状に構成されている。
【００５３】
３３は絶縁フレーム２０の側板２０ｂ上端でかつＵ字状開口端で側板２０ｂ間に跨設され、中央部３３ａに上部側端子導体２２の一端部２２ａから伸張する上部側端子導体２２の中間部２２ｂが取り付けられる第２上部側絶縁梁体であり、両端部３３ｂと段違いのない平面状に構成されている。
【００５４】
このように、この実施の形態６においても、上述した実施の形態１と同様の冷却性能の向上を図ることができる。また、上述した実施の形態３と同様に強度、剛性がより一層向上する遮断器を得ることができる。
【００５５】
実施の形態７.
この発明の実施の形態７を図１３に基づいて説明する。図１３はこの発明の実施の形態７に係わる遮断器における絶縁フレーム構造体を示す平面図である。
【００５６】
この実施の形態７においては、絶縁フレーム２０の各相間に位置する側板２０ｂに互いに隣接する側の第２上部側絶縁梁体３３の端部３３ｂを第１上部側絶縁梁体３２側に凹ませたものである。第２上部側絶縁梁体３３の中央部２３ａ上には上部側端子導体２２の中間部２２ｂが取り付けられており、その中間部２２ｂから図示しない主回路ジャンクション側に伸張する他端側２２ｃが配置されている。しかし、この実施の形態７によれば、絶縁フレーム２０の各相間に位置する側板２０ｂに互いに隣接する側の第２上部側絶縁梁体３３の端部３３ｂを第１上部側絶縁梁体２１側に凹ませたことにより、絶縁沿面距離をさらに増大することができ、絶縁特性をさらに向上させることができる。また、絶縁沿面距離がさらに増大することに伴い絶縁フレーム２０の小型化、さらには遮断器の小型化をさらに可能とすることができる。
【００５７】
実施の形態８.
この発明の実施の形態８を図１４に基づいて説明する。図１４はこの発明の実施の形態８に係わる遮断器における絶縁フレーム構造体を示す斜視図である。
【００５８】
図１４において、２０は絶縁フレーム、２０ａは絶縁フレーム２０の基板、２０ｂ絶縁フレーム２０の側板、２２は上部側端子導体、２２ａは上部側端子導体２２の一端部、２２ｂ上部側端子導体２２の中間部、２２ｃ上部側端子導体２２の他端部、２４は下部側絶縁梁体、２５は仕切板である。
【００５９】
３４は絶縁フレーム２０の基板２０ａ上端で側板２０ｂ間に跨設され、中央部３４ａに例えば板状の上部側端子導体２２の一端部２２ａが取り付けられる第１上部側絶縁梁体であり、両端部３４ｂと段違いのない平面状に構成されているとともに、それら両端部３４ｂには傾斜面が形成されている。
【００６０】
３５は絶縁フレーム２０の側板２０ｂ上端でかつＵ字状開口端で側板２０ｂ間に跨設され、中央部３５ａに上部側端子導体２２の一端部２２ａから伸張する上部側端子導体２２の中間部２２ｂが取り付けられる第２上部側絶縁梁体であり、両端部３５ｂと段違いのない平面状に構成されているとともに、それら両端部３５ｂには傾斜面が形成されている。
【００６１】
このように、この実施の形態８においても、上述した実施の形態６と同様の効果を奏する。また、この実施の形態８においては、第１上部側絶縁梁体３４および第２上部側絶縁梁体３５の両端部３４ｂおよび両端部３５ｂにそれぞれ傾斜面を形成しており、遮断器を設置した設備の結露による水滴が第１上部側絶縁梁体３４および第２上部側絶縁梁体３５上に落ちてきた場合において、第１上部側絶縁梁体３４および第２上部側絶縁梁体３５の両端部３４ｂおよび３５ｂの傾斜面を伝って流れ落ちて溜まることがないので、結露による絶縁性能の低下を招くことがない高信頼性の遮断器を得ることができる。
【００６２】
また、遮断器周囲の環境によっては塵埃が存在することがあるが、この場合においても、塵埃が第１上部側絶縁梁体３４および第２上部側絶縁梁体３５の両端部３４ｂおよび３５ｂの傾斜面には溜まり難くその傾斜面を伝って流れ落ちて溜まることがないので、塵埃による絶縁性能の低下を招くことがない高信頼性の遮断器を得ることができる。
【００６３】
実施の形態９．
この発明の実施の形態９を図１５に基づいて説明する。図１５はこの発明の実施の形態９に係わる遮断器における絶縁フレーム構造体を示す斜視図である。
【００６４】
図１５において、２０は絶縁フレーム、２０ａは絶縁フレーム２０の基板、２０ｂ絶縁フレーム２０の側板、２２は上部側端子導体、２２ａは上部側端子導体２２の一端部、２２ｂ上部側端子導体２２の中間部、２２ｃ上部側端子導体２２の他端部、２４は下部側絶縁梁体、２５は仕切板である。
【００６５】
３６は絶縁フレーム２０の基板２０ａ上端で側板２０ｂ間に跨設され、中央部３６ａに例えば板状の上部側端子導体２２の一端部２２ａが取り付けられる第１上部側絶縁梁体であり、中央部３６ａは両端部３６ｂより低い段違いとなる溝状部として構成されているとともに、その中央部３６ａの溝状部の幅は上部側端子導体２２の定格電流による数種類の幅に対応できるよう広い幅に形成されている。
【００６６】
３７は絶縁フレーム２０の側板２０ｂ上端でかつＵ字状開口端で側板２０ｂ間に跨設され、中央部３７ａに上部側端子導体２２の一端部２２ａから伸張する上部側端子導体２２の中間部２２ｂが取り付けられる第２上部側絶縁梁体であり、中央部３７ａは両端部３７ｂより低い段違いとなる溝状部として構成されているとともに、その中央部３７ａの溝状部の幅は上部側端子導体２２の定格電流による数種類の幅に対応できるよう広い幅に形成されている。
【００６７】
このように、この実施の形態９においても、上述した実施の形態６と同様の効果を奏する。また、この実施の形態９においても、第１上部側絶縁梁体３６および第２上部側絶縁梁体３７の中央部３６ａおよび３７ａの溝幅を広い幅に形成しており、定格電流の容量に応じて、上部側端子導体２２の幅を自由に変えることができるという効果を奏する。
【００６８】
実施の形態１０．
この発明の実施の形態１０を図１６に基づいて説明する。図１６はこの発明の実施の形態１０に係わる遮断器における絶縁フレーム構造体を示す斜視図である。
【００６９】
図１６において、２０は絶縁フレーム、２０ａは絶縁フレーム２０の基板、２０ｂ絶縁フレーム２０の側板、２２は上部側端子導体、２２ａは上部側端子導体２２の一端部、２２ｂ上部側端子導体２２の中間部、２２ｃ上部側端子導体２２の他端部、２４は下部側絶縁梁体、２５は仕切板である。
【００７０】
３８は絶縁フレーム２０の基板２０ａ上端で側板２０ｂ間に跨設され、中央部３８ａに例えば板状の上部側端子導体２２の一端部２２ａが取り付けられる第１上部側絶縁梁体であり、中央部３８ａは両端部３８ｂより低い段違いとなる溝状部として構成されているとともに、その中央部３８ａの溝状部の幅は上部側端子導体２２の定格電流による数種類の幅に対応できるよう広い幅に形成されている。また、それら両端部３８ｂには傾斜面が形成されている。
【００７１】
３９は絶縁フレーム２０の側板２０ｂ上端でかつＵ字状開口端で側板２０ｂ間に跨設され、中央部３９ａに上部側端子導体２２の一端部２２ａから伸張する上部側端子導体２２の中間部２２ｂが取り付けられる第２上部側絶縁梁体であり、中央部３９ａは両端部３９ｂより低い段違いとなる溝状部として構成されているとともに、その中央部３９ａの溝状部の幅は上部側端子導体２２の定格電流による数種類の幅に対応できるよう広い幅に形成されている。また、それら両端部３９ｂには傾斜面が形成されている。
【００７２】
このように、この実施の形態１０においても、上述した実施の形態９と同様の効果を奏する。また、この実施の形態１０においては、第１上部側絶縁梁体３８および第２上部側絶縁梁体３９の両端部３８ｂおよび両端部３９ｂにそれぞれ傾斜面を形成しており、遮断器を設置した設備の結露による水滴が第１上部側絶縁梁体３８および第２上部側絶縁梁体３９上に落ちてきた場合において、第１上部側絶縁梁体３８および第２上部側絶縁梁体３９の両端部３８ｂおよび３９ｂの傾斜面を伝って流れ落ちて溜まることがないので、結露による絶縁性能の低下を招くことがない高信頼性の遮断器を得ることができる。
【００７３】
また、遮断器周囲の環境によっては塵埃が存在することがあるが、この場合においても、塵埃が第１上部側絶縁梁体３８および第２上部側絶縁梁体３９の両端部３８ｂおよび３９ｂの傾斜面には溜まり難くその傾斜面を伝って流れ落ちて溜まることがないので、塵埃による絶縁性能の低下を招くことがない高信頼性の遮断器を得ることができる。
【産業上の利用可能性】
【００７４】
この発明は、例えば電力用の送配電設備あるいは受電設備に用いられる遮断器に関し、簡単な構成で冷却性能を向上することができる遮断器の実現に好適である。
【符号の説明】
【００７５】
１  真空バルブ                        ２０  絶縁フレーム
２０ａ  基板                          ２０ｂ  側板
２１  第１上部側絶縁梁体              ２１ａ  中央部
２１ｂ  両端部                        ２２  上部側端子導体
２３  第２上部側絶縁梁体              ２３ａ  中央部
２３ｂ  両端部                        ２４  下部側絶縁梁体
２６  第１上部側絶縁梁体              ２６ａ  中央部
２６ｂ  両端部                        ２７  第２上部側絶縁梁体
２７ａ  中央部                        ２７ｂ  両端部
２８  第１上部側絶縁梁体              ２８ａ  中央部
２８ｂ  両端部                        ２９  第２上部側絶縁梁体
２９ａ  中央部                        ２９ｂ  両端部
３０  第１上部側絶縁梁体              ３０ａ  中央部
３０ｂ  両端部                        ３１  第２上部側絶縁梁体
３１ａ  中央部                        ３１ｂ  両端部
３２  第１上部側絶縁梁体              ３２ａ  中央部
３２ｂ  両端部                        ３３  第２上部側絶縁梁体
３３ａ  中央部                        ３３ｂ  両端部
３４  第１上部側絶縁梁体              ３４ａ  中央部
３４ｂ  両端部                        ３５  第２上部側絶縁梁体
３５ａ  中央部                        ３５ｂ  両端部
３６  第１上部側絶縁梁体              ３６ａ  中央部
３６ｂ  両端部                        ３７  第２上部側絶縁梁体
３７ａ  中央部                        ３７ｂ  両端部
３８  第１上部側絶縁梁体              ３８ａ  中央部
３８ｂ  両端部                        ３９  第２上部側絶縁梁体
３９ａ  中央部                        ３９ｂ  両端部
【図１】
2010277849.tif 000003
【図２】
2010277849.tif 000004
【図３】
2010277849.tif 000005
【図４】
2010277849.tif 000006
【図５】
2010277849.tif 000007
【図６】
2010277849.tif 000008
【図７】
2010277849.tif 000009
【図８】
2010277849.tif 000010
【図９】
2010277849.tif 000011
【図１０】
2010277849.tif 000012
【図１１】
2010277849.tif 000013
【図１２】
2010277849.tif 000014
【図１３】
2010277849.tif 000015
【図１４】
2010277849.tif 000016
【図１５】
2010277849.tif 000017
【図１６】
2010277849.tif 000018
【図１７】
2010277849.tif 000019
【図１８】
2010277849.tif 000020
【図１９】
2010277849.tif 000021